(57)【要約】【課題】比較的自由に所望の位置に、高さが１．２〜１．４メートル程度の収納室を配置でき、また、居室等のプランニングが容易な建物を提供する。【解決手段】床１０の一部の上方に、この床１０より１．２〜１．４メートル高いスキップ床１１を設け、このスキップ床１１と床１０との間に収納室２２，２３を設け、床１０からスキップ床１１に至る階段１４を設け、収納室２２，２３は、階段１４を設けるための階段室１２を挟んで二つ配置し、収納室２２，２３の出入口２２ａ，２３ａは床１０上に設けられた部屋１５に面している。これによって、階段８，１４の位置を考慮することなく、比較的自由に所望の位置に収納室２２，２３を配置でき、他の部屋１５等のプランニングが容易となる。【選択図】        図２
2004257178.tif 000002
【特許請求の範囲】
【請求項１】
床の一部の上方に、この床より１．２〜１．４メートル高いスキップ床が設けられ、このスキップ床と前記床との間に収納室が設けられ、前記床から前記スキップ床に至る階段が設けられてなり、
前記収納室は、前記階段を設けるための階段室を挟んで二つ配置されており、これら収納室の出入口は前記床上に設けられた部屋に面していることを特徴とする建物。
【請求項２】
請求項１に記載の建物において、
前記階段の昇り口と、前記部屋との間に仕切壁が設けられており、この仕切壁に戸が設けられていることを特徴とする建物。
【請求項３】
請求項２に記載の建物において、
前記仕切壁に、前記部屋を二つの部屋に仕切る第２仕切壁が接続されており、
一方の前記収納室の出入口は、前記二つの部屋のうちの一方の部屋に面しており、他方の前記収納室の出入口は、他方の部屋に面していることを特徴とする建物。
【請求項４】
請求項１〜３のいずれか一項に記載の建物において、
前記部屋には、前記収納室の出入口を開閉する収納家具が出入口に対して接離可能に設けられていることを特徴とする建物。
【請求項５】
請求項４に記載の建物において、
前記収納家具は、前記床上に立設されて、この床上に設けられた部屋と前記スキップ床上に設けられた部屋とを仕切る内壁に沿って移動可能であることを特徴とする建物。
【請求項６】
請求項５に記載の建物において、
前記内壁の前記収納室より高い部位には、窓が設けられており、
前記収納家具の上端の高さ位置は、窓の下端の高さ位置とほぼ等しいことを特徴とする建物。
【発明の詳細な説明】
【０００１】
【発明の属する技術分野】
本発明は、高さが１．２〜１．４メートル程度の収納室を備えた建物に関する。
【０００２】
【背景の技術】
上階（例えば２階）と下階（例えば１階）との間に収納室を備えた建物の一例として特許文献１に記載のものが知られている。
この建物では、１階と２階との間に収納室である蔵を有する蔵階が設けられており、この蔵階の蔵の出入口は、１階と２階とを連絡する階段の踊り場に面して設けられている。
【０００３】
【特許文献１】
特開平６−３２３００９号公報
【０００４】
【発明が解決しようとする課題】
ところで、上記のような従来の建物では、蔵（収納室）への出入口が１階と２階を連絡する階段の踊り場に面して設けられているので、収納室の位置と階段の位置考慮して、建物を設計する必要がある。一方、施主等の建物を購入する側においては、階段の位置等にかかわりなく、収納室を所望の位置に配置したいという要求がある。
また、高さが１．２〜１．４メートル程度の収納室を建物に設けた場合、収納室の上方にある居室は、収納室を設けた階より床のレベルが高くなるので、部屋に至る階段を配置する必要がある。この階段用の階段室を収納室の外側にある、他の部屋、廊下、ホール等に設けた場合、この階段室の存在によって、他の部屋等のプランニングが制限されてしまうという問題がある。
【０００５】
本発明は上記事情に鑑みてなされたものであり、比較的自由に所望の位置に、高さが１．２〜１．４メートル程度の収納室を配置でき、また、居室等のプランニングが容易な建物を提供することを課題としている。
【０００６】
【課題を解決するための手段】
上記課題を解決するために、請求項１に記載の発明は、例えば図１〜図４に示すように、床１０の一部の上方に、この床１０より１．２〜１．４メートル高いスキップ床１１が設けられ、このスキップ床１１と前記床１０との間に収納室２２，２３が設けられ、前記床１０から前記スキップ床１１に至る階段１４が設けられてなり、
前記収納室２２，２３は、前記階段１４を設けるための階段室１２を挟んで二つ配置されており、これら収納室２２，２３の出入口２２ａ，２３ａは前記床１０上に設けられた部屋１５（１５ａ，１５ｂ）に面していることを特徴とする。
【０００７】
ここで、スキップ床１１の高さを床１０から１．２〜１．４メートルとしたのは、平均的な身長の大人が例えば腰や頭を少し低くした状態で、あるいは椅子に座った状態で収納室２２，２３内で自由に移動でき、かつ、物品の搬入や搬出に十分な高さだからである。
【０００８】
請求項１に記載の発明によれば、収納室２２，２３が階段室１２を挟んで二つ配置されおり、これら収納室２２，２３の出入口２２ａ，２３ａは前記床１０上に設けられた部屋１５ａ，１５ｂに面しているので、この出入口２２ａ，２２ｂを階段８，１４の踊り場１３からではなく、部屋１５ａ，１５ｂから使用できる。したがって、階段８，１４の位置を考慮することなく、比較的自由に所望の位置に高さが１．２〜１．４メートル程度の収納室２２，２３を配置できる。
また、収納室２２，２３が階段室１２を挟んで二つ配置されているので、この階段室１２は収納室２２，２３の外側にある、他の部屋１５、廊下、ホール等に配置されることがない。したがって、この階段室１２の存在によって、他の部屋１５等のプランニングが制限されてしまうことがなく、容易となる。
【０００９】
請求項２に記載の発明は、請求項１に記載の建物において、
前記階段１４の昇り口１３ｂと、前記部屋１５との間に仕切壁１６が設けられており、この仕切壁１６に戸１７が設けられていることを特徴とする。
【００１０】
ここで、前記床１０の下方に下階床があり、この下階床から前記床１０に至る階段８があり、さらに、この階段８の降り口１３ａと前記階段１４の昇り口１３ｂとによって、階段８，１４の踊り場１３が構成されている場合も、本願ではこの踊り場１３の一部を昇り口１３ｂとする。
【００１１】
請求項２に記載の発明によれば、階段１４の昇り口１３ｂと部屋１５との間に仕切壁１６が設けられているので、階段１４の昇り口１３ｂを考慮することなく、部屋１５のプランニングを容易に行える。
また、部屋１５と階段１４の昇り口１３ｂを仕切る仕切壁１６に戸１７を設けたので、階段１４の昇り口１３ｂを部屋１５外に設けながらも、部屋１５と階段１４の昇り口１３ｂとの間を自由に行き来できる。
【００１２】
請求項３に記載の発明は、請求項２に記載の建物において、
前記仕切壁１６に、前記部屋１５を二つの部屋１５ａ，１５ｂに仕切る第２仕切壁１８が接続されており、
一方の前記収納室２２の出入口２２ａは、前記二つの部屋のうちの一方の部屋１５ａに面しており、他方の前記収納室２３の出入口２３ａは、他方の部屋１５ｂに面していることを特徴とする。
【００１３】
請求項３に記載の発明によれば、仕切壁１６に第２仕切壁１８が接続されているので、仕切壁１６によって仕切られた部屋１５を、さらに第２仕切壁１８によって容易に二つの部屋１５ａ，１５ｂに仕切ることができる。
そして、仕切られた一方の部屋１５ａに、一方の収納室２２の出入口２２ａが面しており、他方の部屋１５ｂに、他方の収納室２３の出入口２３ａが面しているので、二つの収納室２２，２３を、仕切られた二つの部屋１５ａ，１５ｂそれぞれの専用として使用できる。
【００１４】
請求項４に記載の発明は、例えば、図５〜図１０に示すように、請求項１〜３のいずれか一項に記載の建物において、
前記部屋（居間４８）には、前記収納室５２の出入口５２ａを開閉する収納家具６０が出入口５２ａに対して接離可能に設けられていることを特徴とする。
【００１５】
ここで、収納家具を出入口に対して接離可能に設ける場合、収納家具を収納室を形成する壁に沿って移動させることで、出入口に対して接離可能としてもよいし、収納家具を収納室を形成する壁と交差する方向に移動させることで、出入口に対して接離可能としてもよいし、さらに、収納家具を収納室の出入口の縁部に回動可能に設けることによって、出入口に対して接離可能としてもよい。
【００１６】
請求項４に記載の発明によれば、収納家具６０によって収納室５２の出入口５２ａを開閉できるので、出入口５２ａの専用の扉を設ける必要がない。また、収納家具６０に収納されている収納物を、収納家具６０から取り出して容易に収納室５２に収納でき、また、収納室５２に収納されている収納物を収納室５２から取り出して、収納家具６０に容易に収納できる。
【００１７】
請求項５に記載の発明は、請求項４に記載の建物において、
前記収納家具６０は、前記床４０上に立設されて、この床４０上に設けられた部屋（居間４８）と前記スキップ床４１上に設けられた部屋５０とを仕切る内壁５４に沿って移動可能であることを特徴とする。
【００１８】
請求項５に記載の発明によれば、収納家具６０が内壁５４に沿って移動可能であるので、収納室５２の出入口５２ａの開閉を内壁５４に沿って容易に行える。つまり、収納家具６０の移動が内壁５４によって案内されるので、出入口５２ａの開閉を容易に行える。
【００１９】
請求項６に記載の発明は、請求項５に記載の建物において、
前記内壁５４の前記収納室５２より高い部位には、窓６４が設けられており、前記収納家具６０の上端の高さ位置は、窓６４の下端の高さ位置とほぼ等しいことを特徴とする。
【００２０】
請求項６に記載の発明によれば、スキップ床４０上に設けられた部屋（居間４８）から物を窓６４を通して収納家具６０に搬入でき、また、収納家具６０から物を窓６４を通してスキップ床４１上に設けられた部屋５０に搬入できる。
【００２１】
【発明の実施の形態】
以下図面を参照して本発明の実施の形態について説明する。
（第１の実施の形態）
本実施の形態に係る建物は、壁や床、屋根といった構成要素を予め工場にてパネル化しておき、施工現場でこれらのパネルを組立てることにより、住宅等の建物を構築するといったパネル工法で構築された２階建ての建物である。
【００２２】
この建物の１階の間取りは次のようになっている。すなわち、図１に示すように、１階には、居間１と和室２とが東西に隣接して配置されており、和室２の北側に西入りの玄関３が配置されている。この玄関３の北側に洗面室４と浴室５とが東西に隣接して配置されている。また、居間１の北側にはキッチン６が配置されており、これによって、本建物では１階にリビングダイニング（ＬＤＫ）を備えた構成となっている。
また、キッチン６の北側にはトイレ７が配置されている。玄関３とキッチン６との間、つまり、１階のほぼ中央部には、１階から２階に至る階段８が配置されている。なお、この階段８の階段下は収納所８ａとされている。
【００２３】
建物の２階の間取りは次のようになっている。すなわちまず、図２〜図４に示すように、２階は床１０と、この床より１．２〜１．４メートル高いスキップ床１１とを備えている。床１０は後述する階段室１２を除いて２階の全域に設けられており、スキップ床１１は床１０の一部（北側半分）の上方に設けられている。
１階床と２階のスキップ床１１との間には、上下に延在する階段室１２が設けられており、この階段室１２には、前記階段８と、この階段８に踊り場１３を介して連続して、床１０からスキップ床１１に至る階段１４とが設けられている。なお、この踊り場１３は、１階から２階の床１０に至る階段８の降り口１３ａと、この床１０からスキップ床１１に至る階段１４の昇り口１３ｂとから構成されている。
【００２４】
床１０上には部屋１５が設けられている。この部屋１５には仕切壁１６が設けられている。この仕切壁１６は前記踊り場１３と、部屋１５との間に設けられることで、部屋１５と踊り場１３とを仕切るものである。仕切壁１６は平面視においてコ字状をなしており、その二つの側壁にはそれぞれドア（戸）１７が取付けられている。
また、前記部屋１５の略中央部には、第２仕切壁１８が設けられており、この第２仕切壁１８は前記仕切壁１６に接続されている。この第２仕切壁１８は部屋１５を東西の二つの部屋１５ａ，１５ｂに仕切るものであり、仕切壁１６の端部と建物の南側の壁との間に配置されている。この第２仕切壁１８によって、平面視において二つの凹１８ａ，１８ｂが形成されており、一方の凹所１８ａは一方の部屋１５ａの収納所とされ、他方の凹所１８ｂは他方の部屋１５ｂの収納所とされている。
【００２５】
スキップ床１１上には、東西に離間して二つの部屋２０，２１が配置されており、部屋２０，２１間には、階段１４の降り口１４ａが設けられ、この降り口１４ａの北側にトイレ２２が配置されている。この降り口１４ａに面して部屋２０，２１への出入のためのドアが設けられている。
また、部屋２１の南側には、この部屋２１の床（スキップ床１１）より一段（約１メートル程度）高い収納所２１ａが設けられている。この収納所２１ａの南側は、前記部屋１５ｂの上方の吹き抜け空間となっている。
【００２６】
前記床１０とスキップ床１１との間には、二つの収納室２２，２３が東西に離間して階段室１２を挟んで配置されている。
収納室２２を形成する壁は、建物の外壁と、内壁２４と、階段室１２を形成する壁１２ａとによって構成されている。
内壁２４は、床１０上に立設されて、この床１０上に設けられた部屋１５ａと、収納室２２およびスキップ床１１上に設けられた部屋２０とを仕切るもので、２階の天井までの高さを有する。
収納室２３を形成する壁は、建物の外壁と、内壁２５と、階段室１２を形成する壁１２ｂとによって構成されている。内壁２５は、２階の床１０上に立設されて、この床１０上に設けられた部屋１５ｂと収納室２３とを仕切るもので、部屋２１の収納所２１ａまでの高さを有する。
【００２７】
また、床１０上に設けられた部屋１５ａの天井の高さ位置と、スキップ床１１上に設けられた部屋２０の天井の高さ位置とは、等しくなっている。したがって、部屋１５ａは天井高の高い部屋となっている。また、床１０上に設けられた部屋１５ｂの天井の一部は前記収納所２１ａの床で構成されており、この床より南側は、前記部屋１５ｂの上方の吹き抜け空間となっている。
【００２８】
前記収納室２２を形成する内壁２４には、出入口２２ａが形成されており、収納室２３を形成する内壁２５には、出入口２３ａが形成されている。つまり、収納室２２，２３の出入口２２ａ，２３ａは床１０上に設けられた部屋１５ａ，１５ｂに面している。内壁２４，２５にはそれぞれ前記出入口２２ａ，２３ａを開閉するための引戸２２ｂ，２３ｂが設けられている。
【００２９】
このような構成の建物では、収納室２２，２３が階段室１２を挟んで二つ配置されおり、これら収納室２２，２３の出入口２２ａ，２３ａは床１０上に設けられた部屋２０，２１に面しているので、この出入口２２ａ，２３ａを階段８，１４の踊り場１３からではなく、部屋２０，２１から使用できる。したがって、階段８，１４の位置を考慮することなく、比較的自由に所望の位置に高さが１．２〜１．４メートル程度の収納室２２，２３を配置できる。
また、収納室２２，２３が階段室１２を挟んで二つ配置されているので、この階段室１２は収納室２２，２３の外側にある、他の部屋１５に配置されることがない。したがって、この階段室１２の存在によって、他の部屋１５のプランニングが制限されてしまうことがなく容易となる。
【００３０】
さらに、階段８，１４の踊り場１３と部屋１５（１５ａ，１５ｂ）との間に仕切壁１６が設けられているので、踊り場１３を考慮することなく、部屋１５のプランニングを容易に行える。
また、部屋１５（１５ａ，１５ｂ）と階段８，１４の踊り場１３を仕切る仕切壁１６にドア１７を設けたので、踊り場１３を部屋１５外に設けながらも、部屋１５と踊り場１３との間を自由に行き来できる。
また、仕切壁１６に第２仕切壁１８が接続されているので、仕切壁１６によって仕切られた部屋１５を、第２仕切壁１８によって容易に二つの部屋１５ａ，１５ｂに仕切ることができる。
そして、仕切られた一方の部屋１５ａに、一方の収納室２２の出入口２２ａが面しており、他方の部屋１５ｂに、他方の収納室２３の出入口２３ａが面しているので、二つの収納室２２，２３を、仕切られた二つの部屋１５ａ，１５ｂそれぞれの専用として使用できる。
【００３１】
（第２の実施の形態）
本実施の形態に係る建物も、第１の実施の形態と同様に、パネル工法で構築された２階建ての建物であるが、この建物では２階に１リビングダイニング（ＬＤＫ）を備えた構成となっている。
【００３２】
この建物の１階の間取りは次のようになっている。すなわち、図５に示すように、１階には、部屋３１と和室３２とが東西に隣接して配置されており、和室３２の北側に西入りの玄関３３が配置されている。この玄関３３の北側に洗面室３４と浴室３５とが東西に隣接して配置されている。また、部屋３１の北側にはトイレ３７が配置されている。また、玄関３３と部屋３１との間、つまり、１階のほぼ中央部には、この１階から２階に至る階段３８が配置されている。なお、この階段３８の階段下は収納所３８ａとされている。
【００３３】
建物の２階の間取りは次のようになっている。すなわちまず、図６および図７に示すように、２階は床４０と、この床４０より１．２〜１．４メートル高いスキップ床４１とを備えている。床４０は後述する階段室４２を除いて２階の全域に設けられており、スキップ床４１は床４０の一部（北側半分）の上方に設けられている。
１階床と２階のスキップ床４１との間には、上下に延在する階段室４２が設けられており、この階段室４２には、前記階段３８と、この階段３８に踊り場４３を介して連続して、床４０からスキップ床４１に至る階段４４とが設けられている。なお、この踊り場４３は、１階から２階の床４０に至る階段３８の降り口４３ａと、この床４０からスキップ床４１に至る階段４４の昇り口４３ｂとから構成されている。
【００３４】
床４０上には部屋４５が設けられている。この部屋４５には仕切壁４６が設けられている。この仕切壁４６は前記踊り場４３と、部屋４５との間に設けられることで、部屋４５と踊り場４３とを仕切るものである。仕切壁４６は平面視においてコ字状をなしており、その正面の壁には引戸（戸）４７が取付けられている。なお、仕切壁４６の内側には、収納所４６ａが踊り場４３と隣接して設けられている。
部屋４５は、東側が居間４８とされ、西側がキッチン４９とされており、これによって、本建物では２階にリビングダイニング（ＬＤＫ）を備えた構成となっている。
【００３５】
スキップ床４１上には、東西に離間して二つの部屋５０，５１が配置されており、部屋５０，５１間には、階段４４の降り口４４ａが設けられ、この降り口４４ａの北側にトイレ５２が配置されている。この降り口４４ａに面して部屋５０，５１への出入のためのドアが設けられている。
また、部屋５１の南側には、この部屋５１の床（スキップ床４１）より一段（約１メートル程度）高い収納所５１ａが設けられている。この収納所５１ａの南側は、前記キッチン４９の上方の吹き抜け空間となっている。
【００３６】
前記床４０とスキップ床４１との間には、二つの収納室５２，５３が東西に離間して階段室４２を挟んで配置されている。
収納室５２を形成する壁は、建物の外壁と、内壁５４と、階段室４２を形成する壁４２ａとによって構成されている。
内壁５４は、床４０上に立設されて、この床４０上に設けられた居間４８と、収納室５２およびスキップ床４１上に設けられた部屋５０とを仕切るもので、２階の天井までの高さを有する。
収納室５３を形成する壁は、建物の外壁と、内壁５５と、階段室４２を形成する壁４２ｂとによって構成されている。内壁５５は、２階の床４０上に立設されて、この床４０上に設けられたキッチン４９と収納室５３とを仕切るもので、部屋５１の収納所５１ａまでの高さを有する。
【００３７】
また、床４０上に設けられた居間４８の天井の高さ位置と、スキップ床４１上に設けられた部屋５０の天井の高さ位置とは、等しくなっている。したがって、居間４８は天井高の高い部屋となっている。また、床４０上に設けられたキッチン４９の天井の一部は前記収納所５１ａの床で構成されており、この床より南側は、前記キッチン４９の上方の吹き抜け空間となっている。
【００３８】
前記収納室５２を形成する内壁５４には、出入口５２ａが形成されており、収納室５３を形成する内壁５５には、出入口５３ａが形成されている。つまり、収納室５２，５３の出入口５２ａ，５３ａは床４０上に設けられた居間４８とキッチン４９に面している。内壁５５には収納室５３の出入口５３ａを開閉するための引戸５３ｂが設けられている。
【００３９】
また、図８〜図１０に示すように、前記居間４８には、収納室５２の出入口５２ａを開閉する収納家具６０が出入口５２ａに対して接離可能に設けられている。
すなわちまず、収納家具６０は、左右一対の移動家具６１，６１で構成されており、一対の移動家具６１，６１を互いに当接させた状態において、収納家具６０の左右の幅は、収納室５２の出入口５２ａの左右の幅より大きくなっている。
また、移動家具６１，６１はそれぞれ上下左右に複数の収納棚を有しており、最下段には、踏み台６２を備えている。
【００４０】
踏み台６２は、移動家具６１の最下段に設けられた凹所６３に出し入れ自在であり、この踏み台６２の下面前側には、一対のキャスタ６２ａ，６２ａが取付けられている。そして、踏み台６２はそれを凹所６３から引き出すことにより、その上面に人が立てるようになっており、また、踏み台６２を凹所６３に押し込むことによって、移動家具６１に収納できるようになっている。
また、この移動家具６１の下面の後部には、一対のキャスタ６１ａ，６１ａが取付けられており、このキャスタ６１ａ，６１ａと前記キャスタ６２ａ，６２ａによって移動家具６１が前記内壁５４に沿って移動できるようになっている。
【００４１】
また、内壁５４の上部、すなわち、内壁５４の前記収納室５２より高い部位には、引き違い式の窓６４が設けられている。この窓６４の下端とほぼ等しい内壁５４の部位には、レール６５が水平に固定されている。
一方、前記移動家具６１の上端の高さ位置は、窓６４の下端、つまりレール６５の固定位置とほぼ等しくなっており、この移動家具６１の上端には前記レール６５に沿って移動可能な車輪（図示略）が取付けられている。
【００４２】
したがって、移動家具６１，６１は、その上端の車輪と下端のキャスタ６１ａ，６２ａとによって、内壁５４に沿って左右に移動可能であり、これによって、移動家具６１，６１は収納室５２の出入口５２ａに対して接離して、この出入口５２ａを開閉するようになっている。この場合、移動家具６１，６１を当接させた状態で、出入口５２ａの前に位置させることで、出入口５２ａを閉鎖でき、また、移動家具６１，６１を互いに離間するように左右に移動させて、出入口５２ａの外側に位置させることによって、出入口５２ａを開放できる。
【００４３】
このような構成の建物では、第１の実施の形態の建物と同様に、収納室５２，５３が階段室４２を挟んで二つ配置されおり、これら収納室５２，５３の出入口５２ａ，５３ａは床４０上に設けられた居間４８、キッチン４９に面しているので、この出入口５２ａ，５３ａを階段３８，４４の踊り場４３からではなく、居間４８、キッチン４９から使用できる。したがって、階段３８，４４の位置を考慮することなく、比較的自由に所望の位置に高さが１．２〜１．４メートル程度の収納室５２，５３を配置できる。
また、収納室５２，５３が階段室４２を挟んで二つ配置されているので、この階段室４２は収納室５２，５３の外側にある、居間４８やキッチン４９等で構成される部屋４５に配置されることがない。したがって、この階段室１２の存在によって、部屋４５のプランニングが制限されてしまうことがなく容易となる。
【００４４】
さらに、階段３８，４４の踊り場４３と部屋４５との間に仕切壁４６が設けられているので、踊り場４３を考慮することなく、部屋４５のプランニングを容易に行える。
また、部屋４５と階段３８，４４の踊り場４３を仕切る仕切壁４６に引戸４７を設けたので、踊り場４３を部屋４５外に設けながらも、部屋４５と踊り場４３との間を自由に行き来できる。
また、居間４８に、一方の収納室５２の出入口５２ａが面しており、キッチン４９に、他方の収納室５３の出入口５３ａが面しているので、二つの収納室５２，５３を、居間４８とキッチン４９のそれぞれの専用として使用できる。
【００４５】
加えて、収納家具６０を構成する移動家具６１，６１によって収納室５２の出入口５２ａを開閉できるので、出入口５２ａの専用の扉を設ける必要がない。また、収納家具６０（移動家具６１，６１）に収納されている収納物を、収納家具６０から取り出して容易に収納室５２に収納でき、また、収納室５２に収納されている収納物を収納室５２から取り出して、収納家具６０に容易に収納できる。
【００４６】
また、収納家具６０（移動家具６１，６１）が内壁５４に沿って移動可能であるので、収納室５２の出入口５２ａの開閉を内壁５４に沿って容易に行える。
さらに、スキップ床４１上に設けられた部屋５０から物を窓６４を通して収納家具６０に搬入でき、また、収納家具６０から物を窓６４を通してスキップ床４１上に設けられた部屋５０に搬入できる。
【００４７】
なお、本実施の形態では、収納家具６０を左右一対の移動家具６１，６１によって構成し、この移動家具６１，６１を互いに接近離間するように左右方向に移動させることによって収納室５２の出入口５２ａを開閉するようにしたが、これに限ることなく、一つの収納家具を左右いずれかに移動させることによって、出入口を開閉するようにしてもよい。
【００４８】
【発明の効果】
以上説明したように、請求項１に記載の発明によれば、収納室が階段室を挟んで二つ配置されおり、これら収納室の出入口は前記床上に設けられた部屋に面しているので、階段の位置を考慮することなく、比較的自由に所望の位置に高さが１．２〜１．４メートル程度の収納室を配置できる。
また、階段室は収納室の外側にある、他の部屋、廊下、ホール等に配置されることがないので、この階段室の存在によって、他の部屋等のプランニングが制限されてしまうことがなく、容易となる。
【００４９】
請求項２に記載の発明によれば、階段の昇り口と部屋との間に仕切壁が設けられているので、階段の昇り口を考慮することなく、部屋のプランニングを容易に行える。
また、仕切壁に戸を設けたので、階段の昇り口を部屋外に設けながらも、部屋と階段の昇り口との間を自由に行き来できる。
【００５０】
請求項３に記載の発明によれば、仕切壁によって仕切られた部屋を、さらに第２仕切壁によって二つの部屋に容易に仕切ることができる。
また、仕切られた一方の部屋に、一方の収納室の出入口が面しており、他方の部屋に、他方の収納室の出入口が面しているので、二つの収納室を、仕切られた二つの部屋それぞれの専用として使用できる。
【００５１】
請求項４に記載の発明によれば、収納家具によって収納室の出入口を開閉できるので、出入口の専用の扉を設ける必要がない。
また、収納物を、収納室と収納家具とのいずれかを選択してそれに容易に収納できる。
【００５２】
請求項５に記載の発明によれば、収納家具が内壁に沿って移動可能であるので、収納室の出入口の開閉を内壁に沿って容易に行える。
【００５３】
請求項６に記載の発明によれば、スキップ床上に設けられた部屋から物を窓を通して収納家具に搬入でき、また、収納家具から物を窓を通してスキップ床上に設けられた部屋に搬入できる。
【図面の簡単な説明】
【図１】本発明の建物の第１実施の形態を示すもので、建物の１階の平面図である。
【図２】同、建物の２階の床上にある部屋を示す平面図である。
【図３】同、建物の２階のスキップ床上にある部屋を示す平面図である。
【図４】同、建物の２階の要部を示す斜視図である。
【図５】本発明の建物の第２実施の形態を示すもので、建物の１階の平面図である。
【図６】同、建物の２階の床上にある部屋を示す平面図である。
【図７】同、建物の２階のスキップ床上にある部屋を示す平面図である。
【図８】同、収納家具を示すもので、収納室の出入口を閉鎖した状態を示す正面図である。
【図９】同、収納家具を示すもので、収納室の出入口を開放した状態を示す正面図である。
【図１０】同、収納家具を示すもので、その側面図である。
【符号の説明】
１０，４０  床
１１，４１  スキップ床
１２，４２  階段室
１３，４３  踊り場
１３ｂ，４３ｂ  昇り口
１６，４６  仕切壁
１７  ドア（戸）
１８  第２仕切壁
２０，２１，５０，５１  スキップ床上にある部屋
２２，２３，５２，５３  収納室
２２ａ，２３ａ，５２ａ，５３ａ  出入口
２４，２５，５４，５５  内壁
４７  引戸（戸）
６０  収納家具
６４  窓
【図１】
2004257178.tif 000003
【図２】
2004257178.tif 000004
【図３】
2004257178.tif 000005
【図４】
2004257178.tif 000006
【図５】
2004257178.tif 000007
【図６】
2004257178.tif 000008
【図７】
2004257178.tif 000009
【図８】
2004257178.tif 000010
【図９】
2004257178.tif 000011
【図１０】
2004257178.tif 000012